(57)【要約】      （修正有）【課題】喚呼位置標を含む各種の鉄道標識において、その表面に付着した汚れを自然又は列車の通過風圧により駆動して払拭し、経年的に視認性が悪化するのを防ぐ方法を提供する。【解決手段】鉄道標識板１の前面に支軸４を中心としてブラシ６と風受板７からなる回転翼５を回転自在に取り付けると共に、風受板７側の重量をブラシ６側の重量よりもやや重くなるように設定する。風受板７が風圧を受けて回転するとブラシ６が標識２の前面において回転し、標識板１の汚れを払拭し、無風時には風受板７側が重いために風受板７側が鉛直方向に回転し、ブラシ６側が水平方向に回転して標識２から外れて視認の邪魔になるのを防ぐ構造とした。【選択図】図１
2013007203.tif 000002
【特許請求の範囲】
【請求項１】
ブラシを水平方向に形成し、鉛直方向に風受板を形成した倒Ｌ字型の払拭回転翼を標識板の下部に突設した支軸に対して回転自在に取り付けると共に前記回転翼は、風受板側の重量をブラシ側の重量よりも重く設定することにより、無風時にはその重量バランスでブラシは標識から外れた位置に在り、有風時には風圧により風受板がブラシ側を標識の前面において回転させ、標識に付着した汚れを無人で払拭することができるように構成してなる鉄道標識用払拭装置。
【請求項２】
前記標識板の正面側であって、前記支軸を中心とするブラシの回転半円形内に属し、前記標識の外には、ブラシの回転半径を規制するストッパーが設けられていることを特徴とする請求項１に記載の鉄道標識用払拭装置。
【請求項３】
前記標識板の背面に沿って当接し、かつこの標識板の輪郭線から外に露出する大きさのベース板を設けると共にこのベース板のコーナー部分に前記支軸を設けてこの支軸に前記ブラシと風受板からなる回転翼を取り付け、更にこのベース板の前記露出した部分にストッパーを取り付けると共に前記ベース板には標識板の背面に取り付けるための取付金具が設けられていることを特徴とする請求項１に記載の後付けに用いられる鉄道標識用払拭装置。
【発明の詳細な説明】
【技術分野】
【０００１】
本発明は、喚呼位置標を含む各種の鉄道標識において、その表面に付着した汚れを自然又は車輌の通過風圧によりブラシを駆動して払拭し、経年的に視認性が悪化するのを防止する無人型の払拭装置に関する。
【背景技術】
【０００２】
鉄道の軌道脇には、喚呼位置標を含めて速度制限標、踏切番号標、列車停止目標などの標識類が設置されているが、これらの標識は通常野晒しの状態にある。
【０００３】
このため、経年的に汚れが付着し、視認性が悪化するという問題があることから、定期的あるいは汚れが目立つようになると作業員が手作業で払拭している。
【０００４】
しかし、手作業での払拭は、標識の数が膨大であることと、場所によっては危険が伴うために常時奇麗に保つのは困難である。
【０００５】
また、鉄道標識の場合、その形状や大きさが標識ごとに違っているため、例えば特許文献１及び２に開示されている道路の視認誘導標に見られるような風車式の払拭装置をそのまま適用するのは困難である。
【先行技術文献】
【特許文献】
【０００６】
【特許文献１】特開平８−２０９１８号公報
【特許文献２】特開２００６−１２５１５８号公報
【発明の概要】
【発明が解決しようとする課題】
【０００７】
本発明は、鉄道標識用として独自の構造的な特徴を有し、併せて既設の標識に後付けできる無人型の払拭装置を提供するのが目的である。
【課題を解決するための手段】
【０００８】
上記課題を解決するため、請求項１に記載された発明は、ブラシを水平方向に形成し、鉛直方向に風受板を形成した倒Ｌ字型の払拭回転翼を標識板の下部に突設した支軸に対して回転自在に取り付けると共に前記回転翼は、風受板側の重量をブラシ側の重量よりも重く設定することにより、無風時にはその重量バランスでブラシは標識から外れた位置に在り、有風時には風圧により風受板がブラシ側を標識の前面において回転させ、標識に付着した汚れを無人で払拭することができるように構成してなること、
を特徴とするものである。
【０００９】
更に請求項２に記載の発明は、請求項１に記載の標識板の正面側であって、前記支軸を中心とするブラシの回転半円形内に属し、前記標識の外には、ブラシの回転半径を規制するストッパーが設けられていること、を特徴とするものである。
【００１０】
更に請求項３に記載の発明は、請求項１に記載の標識板の背面に沿って当接し、かつこの標識板の輪郭線から外に露出する大きさのベース板を設けると共にこのベース板のコーナー部分に前記支軸を設けてこの支軸に前記ブラシと風受板からなる回転翼を取り付け、更にこのベース板の前記露出した部分にストッパーを取り付けると共に前記ベース板には標識板の背面に取り付けるための取付金具が設けられていること、を特徴とするものである。
【発明の効果】
【００１１】
本発明は以上のとおり、鉄道標識は、風圧により駆動するブラシにより無人でその汚れが払拭されるため、従来のように経年的に汚れが付着して視認性が悪化することがなく、鉄道の運行安全に寄与できる。
【００１２】
また、本発明の払拭装置は、自然又は列車の通過風圧で駆動するため、電源を必要としない。
【００１３】
また、本発明のブラシ側と風受板側の重量バランスは、風受板側が少し重く設定されているため、風圧があるときは駆動するが、風圧が無い時は風受板側がブラシ側に勝って鉛直方向に静止し、これに伴ってブラシは標識の正面から外れるため、標識の邪魔になることはない。
【００１４】
また、請求項３に記載の発明は、既設の標識に後付けができるため、既設の標識をいちいち払拭装置付のものに交換する必要がない。
【図面の簡単な説明】
【００１５】
【図１】本発明に係る鉄道標識用払拭装置を三角形の喚呼位置標に直接取り付けた状態の説明図。
【図２】本発明に係る鉄道標識用払拭装置を三角形の喚呼位置標に直接取り付けた状態の平面図。
【図３】本発明に係る鉄道標識用払拭装置を三角形の喚呼位置標に直接取り付けた状態の右側面図。
【図４】標識板が円形の喚呼位置標に本発明に係る払拭装置を直接取り付けた状態の説明図。
【図５】標識板が円形の喚呼位置標に本発明に係る払拭装置を直接取り付けた状態の平面図。
【図６】標識板が円形の喚呼位置標に本発明に係る払拭装置を直接取り付けた状態の右側面図。
【図７】後付けタイプの払拭装置の説明図。
【図８】後付けタイプの払拭装置の平面図。
【図９】後付けタイプの払拭装置の右側面図。
【図１０】蝶番を介して風受板を取り付けた払拭装置の説明図。
【図１１】蝶番を介して風受板を取り付けた払拭装置の平面図。
【図１２】蝶番を介して風受板を取り付けた払拭装置の右側面図。
【図１３】風受板に傾斜をつけた払拭装置の説明図。
【図１４】風受板に傾斜をつけた払拭装置の平面図。
【図１５】風受板に傾斜をつけた払拭装置の右側面図。
【発明を実施するための形態】
【００１６】
本発明は、鉄道標識全般に適用が可能であって、自然風及び列車の通過風圧が影響する場所に建てられたものが対象である。また状況によっては、各種の鉄道信号燈にも適用できる。
【実施例１】
【００１７】
本発明の実施例を図１〜図１５に基づいて詳細に説明する。
【００１８】
図１〜図３は、喚呼位置標識に本発明を実施した例であって、符号の１は輪郭形状が略正三角形状を呈した標識板であって、この板の正面には喚呼標識２が描かれている。
【００１９】
１２は前記標識板１を取付面１４に取り付けるための取付金具であって、この金具１２に標識板１はボルト１５により垂直に取り付けられている。
【００２０】
５は回転翼であって、この回転翼５は、標識板１の正面に描かれた標識２を基準として最下部又は最下部近傍を水平に横切る線上であって、標識２にかからないコーナー３の位置に突設された支軸４に対して回転自在に取り付けられていると共に水平方向にブラシ６が形成し、鉛直方向に風受板７を形成した倒Ｌ字型である。
【００２１】
８は、前記取付翼５のブラシ取付翼体６に対して前記標識板１側に向き、かつ標識板１の表面に毛先が接するように植設されたブラシであって、風受板７側は、ブラシ６側の重量に対して重目に設定されていることにより、風受板７が風圧を受けていないときは、風受板７はその重量で鉛直方向に位置してブラシ６を標識２から外れる水平方向に位置させて逃し、風圧があるとこの風圧を受けて風受板７が前記支軸４を中心として回転し、この回転力でブラシ６を標識２の前面においてａの範囲で回転させ、付着した汚れを払拭する重量バランスとなっている。
【００２２】
１０、１１は前記標識板１の正面側であって、前記支軸４を中心とする半円形内ａに属し、前記標識２の外において、ブラシ８の回転半径を規制するストッパーである。
【実施例２】
【００２３】
図４〜図６に記した本実施例２は、標識板１が円形を呈した喚呼位置標識１６に本発明を適用した実施例であって、標識板１６が円形である以外、同一の符号は実施例１と同一構造を指し、説明の重複を避けるために同一部分に同一の符号のみを記し、詳細な説明は省略する。
【００２４】
図６において、１７は標識板１６の取付支柱、１８、１９は取付金具である。
【実施例３】
【００２５】
本実施例３は、請求項３に記した後付けタイプの実施例であって、具体的には、標識板１の背面に沿って当接し、かつこの標識板１の右辺及び下辺の輪郭線から外に露出した露出部分２１、２２を有する大きさからなるベース板２０を設けると共にこのベース板２０のコーナー部分２３に前記支軸４を設けてこの支軸４に前記ブラシ６と風受板７を取り付けた回転翼体５を回転自在に取り付け、更にこのベース板２０の前記露出した部分にストッパー１０、１１を取り付けると共に前記ベース板２０には標識板１の背面に取り付けるための取付金具１２が設けられている。
【００２６】
この実施例では、取付金具１２に対して標識板１をボルト１５で固定する際、図８に示すようにベース板２０を挟み込む。
【実施例４】
【００２７】
本実施例４は、実施例３において、図１０〜１２に示すように風受板７を蝶番２４を介して取り付けたもので、蝶番２４の作用で風受板７に揺動の作用が発生し、微風であっても、風受板７は蝶番２４が蝶番軸２４ａを中心に周動し、その反動でブラシ６が動き易くなるという効果がある。図１０〜図１２において実施例３と同一の符号は同一箇所を指し、説明の重複を避けるために具体的な説明は省略する。図１０において２５、２６は蝶番２４の固定ネジである。
【実施例５】
【００２８】
本実施例５は、図１３〜１５に示すように風受板７に傾斜をつけたもので、このように風受板７に傾斜をつけると、風受板７が正面より風圧を受けたとき、この風圧が傾斜のついた風受板７に作用してこの風受板７に回転の力が発生し、ブラシ６側を回転する方向に周動させる効果がある。
【００２９】
図１３〜図１５において、実施例３と同一の符号は同一箇所を指し、説明の重複を避けるために具体的な説明は省略する。
【符号の説明】
【００３０】
１  標識板
２  標識
４  支軸
５  回転翼
６  ブラシ
７  風受板
１０、１１  ストッパー
２０  ベース板
２５  蝶番
【図１】
2013007203.tif 000003
【図２】
2013007203.tif 000004
【図３】
2013007203.tif 000005
【図４】
2013007203.tif 000006
【図５】
2013007203.tif 000007
【図６】
2013007203.tif 000008
【図７】
2013007203.tif 000009
【図８】
2013007203.tif 000010
【図９】
2013007203.tif 000011
【図１０】
2013007203.tif 000012
【図１１】
2013007203.tif 000013
【図１２】
2013007203.tif 000014
【図１３】
2013007203.tif 000015
【図１４】
2013007203.tif 000016
【図１５】
2013007203.tif 000017